(57)【要約】【課題】緊急車両の通行を優先するための一般車両の自動運転制御を適切に実行することを可能とする。【解決手段】緊急車両の通行を優先して一般車両を路肩に寄せる自動回避制御における目標減速度を決定する制御部を備え、前記制御部は、複数の前記一般車両の減速性能に基づいて前記目標減速度を決定する、制御装置が提供される。【選択図】図５
2020009093.tif 000002
【特許請求の範囲】
【請求項１】
緊急車両の通行を優先して一般車両を路肩に寄せる自動回避制御における目標減速度を決定する制御部を備え、
前記制御部は、複数の前記一般車両の減速性能に基づいて前記目標減速度を決定する、
制御装置。
【請求項２】
前記制御部は、前記緊急車両の走行経路における前記緊急車両より前方の第１基準区間内を走行する複数の前記一般車両の減速性能に基づいて前記目標減速度を決定する、
請求項１に記載の制御装置。
【請求項３】
前記制御部は、複数の前記一般車両の各々の減速性能のうち最も低い減速性能に基づいて、前記目標減速度を決定する、
請求項１又は２に記載の制御装置。
【請求項４】
前記制御部は、複数の前記一般車両の各々の車重に基づいて、当該複数の一般車両の各々の減速性能を特定する、
請求項１〜３のいずれか一項に記載の制御装置。
【請求項５】
前記制御部は、複数の前記一般車両の各々の位置における路面情報に基づいて、当該複数の一般車両の各々の減速性能を特定する、
請求項１〜４のいずれか一項に記載の制御装置。
【請求項６】
前記制御部は、前記緊急車両より前方を走行している前記一般車両と前記緊急車両との間の距離が第１基準距離を下回った場合、当該一般車両に前記自動回避制御を実行させる、
請求項１〜５のいずれか一項に記載の制御装置。
【請求項７】
前記制御部は、前記自動回避制御の実行後に前記一般車両を路肩から走行路の中央側に戻す自動復帰制御における目標加速度を、複数の前記一般車両の加速性能に基づいて決定する、
請求項１〜６のいずれか一項に記載の制御装置。
【請求項８】
前記制御部は、前記緊急車両の走行経路における前記緊急車両より後方の第２基準区間内を走行する複数の前記一般車両の加速性能に基づいて前記目標加速度を決定する、
請求項７に記載の制御装置。
【請求項９】
前記制御部は、複数の前記一般車両の各々の加速性能のうち最も低い加速性能に基づいて、前記目標加速度を決定する、
請求項７又は８に記載の制御装置。
【請求項１０】
前記制御部は、複数の前記一般車両の各々の車重に基づいて、当該複数の一般車両の各々の加速性能を特定する、
請求項７〜９のいずれか一項に記載の制御装置。
【請求項１１】
前記制御部は、複数の前記一般車両の各々の位置における路面情報に基づいて、当該複数の一般車両の各々の加速性能を特定する、
請求項７〜１０のいずれか一項に記載の制御装置。
【請求項１２】
前記制御部は、前記緊急車両に追い越された前記一般車両と前記緊急車両との間の距離が第２基準距離を上回った場合、当該一般車両に前記自動復帰制御を実行させる、
請求項７〜１１のいずれか一項に記載の制御装置。
【請求項１３】
緊急車両の通行を優先して一般車両を路肩に寄せる自動回避制御における目標減速度を制御装置により決定する決定ステップを備え、
前記決定ステップにおいて、複数の前記一般車両の減速性能に基づいて前記目標減速度が決定される、
制御方法。
【発明の詳細な説明】
【技術分野】
【０００１】
本発明は、制御装置及び制御方法に関する。
【背景技術】
【０００２】
近年、車両の走行を自動制御する自動運転制御に関する種々の技術が提案されている。このような技術として、緊急車両の通行を優先するための一般車両の自動運転制御に関する技術がある。例えば、特許文献１に開示されているように、緊急車両の通行を優先して一般車両を路肩に寄せる自動回避制御がある。
【先行技術文献】
【特許文献】
【０００３】
【特許文献１】特開２０１４−１５４１２８号公報
【発明の概要】
【発明が解決しようとする課題】
【０００４】
しかしながら、緊急車両の通行を優先するための一般車両の自動運転制御をより適切に実行することが望まれている。例えば、特許文献１に開示されている技術等の従来の技術では、緊急車両の走行を優先するために、連なって走行している複数の一般車両に自動回避制御を実行させた際に、各一般車両の間で減速度が相違することに起因して、一般車両間の一部の車間距離が過度に縮まる場合がある。この場合、周囲の一般車両と接触しないように車速を調整しながら手動又は自動で一般車両の運転が行われることになるので、渋滞が発生するおそれがある。
【０００５】
そこで、本発明は、上記問題に鑑みてなされたものであり、本発明の目的とするところは、緊急車両の通行を優先するための一般車両の自動運転制御を適切に実行することが可能な、新規かつ改良された制御装置及び制御方法を提供することにある。
【課題を解決するための手段】
【０００６】
上記課題を解決するために、本発明のある観点によれば、緊急車両の通行を優先して一般車両を路肩に寄せる自動回避制御における目標減速度を決定する制御部を備え、前記制御部は、複数の前記一般車両の減速性能に基づいて前記目標減速度を決定する、制御装置が提供される。
【０００７】
前記制御部は、前記緊急車両の走行経路における前記緊急車両より前方の第１基準区間内を走行する複数の前記一般車両の減速性能に基づいて前記目標減速度を決定してもよい。
【０００８】
前記制御部は、複数の前記一般車両の各々の減速性能のうち最も低い減速性能に基づいて、前記目標減速度を決定してもよい。
【０００９】
前記制御部は、複数の前記一般車両の各々の車重に基づいて、当該複数の一般車両の各々の減速性能を特定してもよい。
【００１０】
前記制御部は、複数の前記一般車両の各々の位置における路面情報に基づいて、当該複数の一般車両の各々の減速性能を特定してもよい。
【００１１】
前記制御部は、前記緊急車両より前方を走行している前記一般車両と前記緊急車両との間の距離が第１基準距離を下回った場合、当該一般車両に前記自動回避制御を実行させてもよい。
【００１２】
前記制御部は、前記自動回避制御の実行後に前記一般車両を路肩から走行路の中央側に戻す自動復帰制御における目標加速度を、複数の前記一般車両の加速性能に基づいて決定してもよい。
【００１３】
前記制御部は、前記緊急車両の走行経路における前記緊急車両より後方の第２基準区間内を走行する複数の前記一般車両の加速性能に基づいて前記目標加速度を決定してもよい。
【００１４】
前記制御部は、複数の前記一般車両の各々の加速性能のうち最も低い加速性能に基づいて、前記目標加速度を決定してもよい。
【００１５】
前記制御部は、複数の前記一般車両の各々の車重に基づいて、当該複数の一般車両の各々の加速性能を特定してもよい。
【００１６】
前記制御部は、複数の前記一般車両の各々の位置における路面情報に基づいて、当該複数の一般車両の各々の加速性能を特定してもよい。
【００１７】
前記制御部は、前記緊急車両に追い越された前記一般車両と前記緊急車両との間の距離が第２基準距離を上回った場合、当該一般車両に前記自動復帰制御を実行させてもよい。
【００１８】
また、上記課題を解決するために、本発明の別の観点によれば、緊急車両の通行を優先して一般車両を路肩に寄せる自動回避制御における目標減速度を制御装置により決定する決定ステップを備え、前記決定ステップにおいて、複数の前記一般車両の減速性能に基づいて前記目標減速度が決定される、制御方法が提供される。
【発明の効果】
【００１９】
以上説明したように本発明によれば、緊急車両の通行を優先するための一般車両の自動運転制御を適切に実行することが可能となる。
【図面の簡単な説明】
【００２０】
【図１】本発明の実施形態に係る制御システムの概略構成を示す模式図である。
【図２】緊急車両より前方を走行している一般車両が自動回避制御を実行する様子を示す模式図である。
【図３】緊急車両に追い越された一般車両が自動復帰制御を実行する様子を示す模式図である。
【図４】同実施形態に係るサーバの機能構成の一例を示すブロック図である。
【図５】同実施形態に係るサーバが行う目標減速度の決定処理の流れの一例を示すフローチャートである。
【図６】同実施形態に係るサーバが行う自動回避指令の出力処理の流れの一例を示すフローチャートである。
【図７】同実施形態に係るサーバが行う目標加速度の決定処理の流れの一例を示すフローチャートである。
【図８】同実施形態に係るサーバが行う自動復帰指令の出力処理の流れの一例を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．制御システムの構成＞
まず、図１〜図４を参照して、本発明の実施形態に係る制御システム１の構成について説明する。
【００２３】
図１は、制御システム１の概略構成を示す模式図である。
【００２４】
制御システム１は、緊急車両の通行を優先するための自動運転制御を一般車両に実行させるためのシステムである。
【００２５】
図１に示されるように、制御システム１は、一般車両５と、緊急車両７と、サーバ１００とを備える。サーバ１００は、本発明に係る制御装置の一例に相当する。緊急車両７は、消防車、救急車又はパトロールカー等の車両であり、緊急の用務時に、サイレンを鳴らし赤色の警光灯を点灯させて通行する。一般車両５は、緊急車両７以外の車両であり、図１では、一般車両５の例として、一般車両５ａ，５ｂ，５ｃ，５ｄが示されている。なお、制御システム１における一般車両５及び緊急車両７の数は、図１に示される例に限定されない。
【００２６】
一般車両５には、通信装置５１が搭載されており、通信装置５１は、サーバ１００と、例えば無線の通信ネットワーク９を介して、通信可能である。図１では、一般車両５ａ，５ｂ，５ｃ，５ｄにそれぞれ通信装置５１ａ，５１ｂ，５１ｃ，５１ｄが搭載されている様子が示されている。
【００２７】
例えば、通信装置５１は、ＧＰＳ（Ｇｌｏｂａｌ  Ｐｏｓｉｔｉｏｎｉｎｇ  Ｓｙｓｔｅｍ）衛星からの電波を受信すること等によって一般車両５の現在位置を算出し、一般車両５の現在位置を示す位置情報をサーバ１００に送信する。
【００２８】
また、例えば、通信装置５１は、一般車両５の減速性能に関連する一般車両５の仕様を示す情報をサーバ１００に送信する。当該情報は、サーバ１００による減速性能を特定する処理に用いられる。減速性能は、一般車両５が有する減速度を生じさせる能力を意味し、具体的には、一般車両５に生じさせることが可能な減速度の最大値である最大減速度と相関を有する指標である。通信装置５１は、減速性能に関連する一般車両５の仕様を示す情報として、例えば、一般車両５に搭載されているブレーキ装置の仕様を示す情報をサーバ１００に送信する。
【００２９】
また、例えば、通信装置５１は、一般車両５の加速性能に関連する一般車両５の仕様を示す情報をサーバ１００に送信する。当該情報は、サーバ１００による加速性能を特定する処理に用いられる。加速性能は、一般車両５が有する加速度を生じさせる能力を意味し、具体的には、一般車両５に生じさせることが可能な加速度の最大値である最大加速度と相関を有する指標である。通信装置５１は、加速性能に関連する一般車両５の仕様を示す情報として、例えば、一般車両５に搭載されている駆動源（例えば、モータ）の仕様、ギヤ比及びタイヤの径を示す情報をサーバ１００に送信する。
【００３０】
また、例えば、通信装置５１は、一般車両５の減速性能又は加速性能をより適切に特定するための情報として、一般車両５の車重を示す情報及び一般車両５の位置における路面情報をサーバ１００に送信する。路面情報は、路面に関する情報であり、例えば、路面の勾配、路面の摩擦係数又は路面の凹凸形状等を示す情報を含む。なお、上記の車重を示す情報及び路面情報は、具体的には、一般車両５に搭載される各種センサの検出結果を利用することによって取得される。例えば、加速度センサの検出結果を利用することによって、一般車両５の車重や路面の勾配等を算出することができる。
【００３１】
なお、一般車両５の位置情報及び当該一般車両５の減速性能を特定するための情報（例えば、減速性能に関連する一般車両５の仕様を示す情報、車重を示す情報及び路面情報を示す情報）は、互いに紐付けられて一般車両５の通信装置５１からサーバ１００に送信される。
【００３２】
また、一般車両５には、車両制御装置５２が搭載されており、車両制御装置５２は、一般車両５の走行を自動制御する自動運転制御を実行可能である。例えば、一般車両５において、自動運転制御が実行される自動運転モードと、手動で一般車両５の運転が行われる手動運転モードとが、ドライバによる操作に応じて切り替えられるようになっており、車両制御装置５２は、運転モードが自動運転モードに切り替えられている場合に自動運転制御を実行する。図１では、一般車両５ａ，５ｂ，５ｃ，５ｄにそれぞれ車両制御装置５２ａ，５２ｂ，５２ｃ，５２ｄが搭載されている様子が示されている。
【００３３】
車両制御装置５２は、具体的には、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶する記憶素子であるＲＯＭ（Ｒｅａｄ  Ｏｎｌｙ  Ｍｅｍｏｒｙ）及びＣＰＵの実行において適宜変化するパラメータ等を一時記憶する記憶素子であるＲＡＭ（Ｒａｎｄｏｍ  Ａｃｃｅｓｓ  Ｍｅｍｏｒｙ）等で構成される。
【００３４】
車両制御装置５２は、自動運転制御において、具体的には、一般車両５の加速度、減速度及びタイヤ舵角を制御する。例えば、車両制御装置５２は、一般車両５に搭載されている動力源（例えば、モータ）の動作を制御することによって、一般車両５に生じる駆動力を制御する。それにより、一般車両５の加速度が制御される。また、例えば、車両制御装置５２は、一般車両５に搭載されているブレーキ装置の動作を制御することによって、一般車両５に生じる制動力を制御する。それにより、一般車両５の減速度が制御される。また、例えば、車両制御装置５２は、一般車両５に搭載されているステアリング機構の動作を制御する。それにより、一般車両５のタイヤ舵角が制御される。
【００３５】
車両制御装置５２は、自動運転制御において、基本的には、例えば、前方の車両との間の車間距離を予め設定された距離に近づくように調整しつつ走行路に沿って走行するように、一般車両５の走行を自動制御する。
【００３６】
ここで、車両制御装置５２は、サーバ１００から送信される指令に応じて、緊急車両７の通行を優先するための自動運転制御を実行する。
【００３７】
具体的には、車両制御装置５２は、緊急車両７の通行を優先するための自動運転制御として、緊急車両７の通行を優先して一般車両５を路肩に寄せる制御である自動回避制御を実行する。図２は、緊急車両７より前方を走行している一般車両５が自動回避制御を実行する様子を示す模式図である。
【００３８】
図２に示されるように、自動回避制御は、一般車両５が緊急車両７より前方を走行しているときに実行される。緊急車両７が一般車両５の後方から当該一般車両５に近づくことにより、一般車両５と緊急車両７との間の距離は縮小していく。そして、後述するように、例えば、一般車両５と緊急車両７との間の距離が第１基準距離Ｌ１を下回った場合に、自動回避制御が実行される。図２では、一般車両５と緊急車両７との間の距離が第１基準距離Ｌ１になっている様子が示されている。そして、自動回避制御が実行されると、図２において二点鎖線で示されるように、一般車両５は、減速しながら走行路の路肩に寄せられて停車する。ここで、自動回避制御における減速度の目標値である目標減速度は、サーバ１００によって決定され、車両制御装置５２は、自動回避制御において、一般車両５の減速度を当該目標減速度に近づけるように制御する。
【００３９】
さらに、車両制御装置５２は、自動回避制御の実行後に、一般車両５を路肩から走行路の中央側に戻す制御である自動復帰制御を実行する。図３は、緊急車両７に追い越された一般車両５が自動復帰制御を実行する様子を示す模式図である。
【００４０】
図３に示されるように、自動復帰制御は、一般車両５が緊急車両７に追い越された後に実行される。緊急車両７が一般車両５を追い越した後に当該一般車両５から遠ざかることにより、一般車両５と緊急車両７との間の距離は拡大していく。そして、後述するように、例えば、一般車両５と緊急車両７との間の距離が第２基準距離Ｌ２を上回った場合に、自動復帰制御が実行される。図３では、一般車両５と緊急車両７との間の距離が第２基準距離Ｌ２になっている様子が示されている。そして、自動復帰制御が実行されると、図３において二点鎖線で示されるように、一般車両５は、停車していた路肩から発車し、加速しながら走行路の中央側に戻る。ここで、自動復帰制御における加速度の目標値である目標加速度は、サーバ１００によって決定され、車両制御装置５２は、自動復帰制御において、一般車両５の加速度を当該目標加速度に近づけるように制御する。
【００４１】
緊急車両７には、通信装置７１が搭載されており、通信装置７１は、サーバ１００と、例えば無線の通信ネットワーク９を介して、通信可能である。
【００４２】
例えば、通信装置７１は、ＧＰＳ衛星からの電波を受信すること等によって緊急車両７の現在位置を算出し、緊急車両７の現在位置を示す位置情報をサーバ１００に送信する。
【００４３】
また、例えば、通信装置７１は、緊急車両７のカーナビゲーション装置に対する入力操作等に基づいて、緊急車両７の目的地までの経路を示す経路情報を取得し、サーバ１００に送信する。
【００４４】
サーバ１００は、緊急車両７の通行を優先するための自動運転制御を一般車両５に実行させるための各種処理を行う。具体的には、サーバ１００は、上述したように、無線の通信ネットワーク９を介して、一般車両５の通信装置５１及び緊急車両７の通信装置７１と通信可能となっており、通信により得られる情報を用いて各種処理を行う。
【００４５】
サーバ１００は、具体的には、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶する記憶素子であるＲＯＭ（Ｒｅａｄ  Ｏｎｌｙ  Ｍｅｍｏｒｙ）及びＣＰＵの実行において適宜変化するパラメータ等を一時記憶する記憶素子であるＲＡＭ（Ｒａｎｄｏｍ  Ａｃｃｅｓｓ  Ｍｅｍｏｒｙ）等で構成される。
【００４６】
なお、サーバ１００が有する機能は複数の制御装置により少なくとも部分的に分割されてもよく、複数の機能が１つの制御装置によって実現されてもよい。サーバ１００が有する機能が複数の制御装置により少なくとも部分的に分割される場合、当該複数の制御装置は、互いに通信可能であってもよい。
【００４７】
図４は、サーバ１００の機能構成の一例を示すブロック図である。
【００４８】
図４に示されるように、サーバ１００は、例えば、通信部１１０と、記憶部１２０と、制御部１３０とを備える。
【００４９】
通信部１１０は、一般車両５の通信装置５１及び緊急車両７の通信装置７１と通信する。例えば、通信部１１０は、通信装置５１及び通信装置７１から送信された情報を受信し、取得した情報を記憶部１２０及び制御部１３０に出力する。また、例えば、通信部１１０は、制御部１３０から出力された情報又は記憶部１２０に記憶されている情報を一般車両５の通信装置５１に送信する。
【００５０】
記憶部１２０は、サーバ１００が行う各種処理において用いられる情報を記憶する。例えば、記憶部１２０は、通信装置５１及び通信装置７１から送信され通信部１１０により取得された情報を記憶する。また、例えば、記憶部１２０は、制御部１３０において生成された情報を記憶する。
【００５１】
制御部１３０は、緊急車両７の通行を優先するための自動運転制御としての自動回避制御を一般車両５に実行させるための各種処理を行う。さらに、制御部１３０は、自動回避制御の実行後に自動復帰制御を一般車両５に実行させるための各種処理を行う。
【００５２】
例えば、制御部１３０は、目標減速度決定部１３１と、自動回避制御部１３２と、目標加速度決定部１３３と、自動復帰制御部１３４とを有する。
【００５３】
目標減速度決定部１３１は、自動回避制御における目標減速度を決定する。目標減速度決定部１３１により決定された目標減速度を示す情報は、例えば、記憶部１２０に記憶される。
【００５４】
自動回避制御部１３２は、後述するように、所定の条件が満たされる場合に、一般車両５に自動回避制御を実行させる。具体的には、自動回避制御部１３２は、当該一般車両５に自動回避制御を実行させるための指令である自動回避指令を通信部１１０に出力する。そして、自動回避指令は、目標減速度を示す情報とともに通信部１１０によって当該一般車両５の通信装置５１に送信され、当該一般車両５は、当該目標減速度を示す情報を用いて自動回避制御を実行する。
【００５５】
目標加速度決定部１３３は、自動復帰制御における目標加速度を決定する。目標加速度決定部１３３により決定された目加速速度を示す情報は、例えば、記憶部１２０に記憶される。
【００５６】
自動復帰制御部１３４は、後述するように、所定の条件が満たされる場合に、一般車両５に自動復帰制御を実行させる。具体的には、自動復帰制御部１３４は、当該一般車両５に自動復帰制御を実行させるための指令である自動復帰指令を通信部１１０に出力する。そして、自動復帰指令は、目標加速度を示す情報とともに通信部１１０によって当該一般車両５の通信装置５１に送信され、当該一般車両５は、当該目標加速度を示す情報を用いて自動復帰制御を実行する。
【００５７】
上記のように、サーバ１００の制御部１３０によって自動回避制御における目標減速度が決定されることによって、自動回避制御における一般車両５の減速度が制御される。具体的には、制御部１３０は、後述にて詳細に説明するように、複数の一般車両５の減速性能に基づいて自動回避制御における目標減速度を決定する。それにより、緊急車両７の通行を優先するための一般車両５の自動運転制御を適切に実行することが可能となる。このような、サーバ１００の制御部１３０により行われる処理の詳細については、後述にて説明する。
【００５８】
＜２．サーバの動作＞
続いて、図５〜図８を参照して、本発明の実施形態に係るサーバ１００の動作について説明する。
【００５９】
［２−１．目標減速度の決定処理］
まず、図５を参照して、サーバ１００が行う目標減速度の決定処理について説明する。
【００６０】
図５は、サーバ１００が行う目標減速度の決定処理の流れの一例を示すフローチャートである。図５に示される制御フローは、具体的には、制御部１３０の目標減速度決定部１３１により行われ、例えば、予め設定された時間間隔で繰り返し行われる。
【００６１】
図５に示される制御フローが開始されると、まず、ステップＳ５０１において、目標減速度決定部１３１は、緊急車両７の走行経路における第１基準区間内を走行する複数の一般車両５の減速性能を特定する。
【００６２】
第１基準区間は、具体的には、緊急車両７の走行経路における緊急車両７より前方の区間である。第１基準区間は、緊急車両７の走行経路における緊急車両７の位置に応じた区間であり、緊急車両７の走行経路上を緊急車両７の移動に伴って移動する。第１基準区間としては、例えば、緊急車両７の現在位置より前方の当該現在位置から所定距離（例えば、第１基準距離Ｌ１等）以内の区間が適用され得る。
【００６３】
目標減速度決定部１３１は、例えば、減速性能に関連する各一般車両５の仕様を示す情報に基づいて、各一般車両５の減速性能を特定する。例えば、目標減速度決定部１３１は、各一般車両５に搭載されているブレーキ装置の仕様を示す情報に基づいて、各一般車両５の減速性能を特定する。
【００６４】
なお、目標減速度決定部１３１は、減速性能に関連する各一般車両５の仕様を示す情報以外の情報を利用することによって、各一般車両５の減速性能を特定してもよい。
【００６５】
例えば、目標減速度決定部１３１は、各一般車両５の車種又はＩＤを示す情報に基づいて、各一般車両５の減速性能を特定してもよい。このように車種又はＩＤを示す情報に基づいて減速性能を特定する処理は、例えば、各一般車両５の車種又はＩＤを示す情報が各一般車両５からサーバ１００に送信されるようにし、サーバ１００に予め車種又はＩＤと減速性能との対応関係を示す情報を記憶させておくことにより実現することができる。
【００６６】
また、例えば、各一般車両５の仕様に応じた減速性能を示す情報が予め各一般車両５に記憶されている場合又は各一般車両５により算出される場合、減速性能を直接的に示す情報が各一般車両５からサーバ１００に送信されてもよい。この場合、目標減速度決定部１３１は、各一般車両５から送信される減速性能を直接的に示す情報に基づいて、各一般車両５の減速性能を特定してもよい。
【００６７】
ここで、目標減速度決定部１３１は、減速性能をより適切に特定する観点では、各一般車両５の車重に基づいて、各一般車両５の減速性能を特定することが好ましい。また、目標減速度決定部１３１は、減速性能をより適切に特定する観点では、各一般車両５の位置における路面情報に基づいて、各一般車両５の減速性能を特定することが好ましい。
【００６８】
次に、ステップＳ５０３において、目標減速度決定部１３１は、各一般車両５の減速性能のうち最も低い減速性能で基準減速度を発生させることが可能であるか否かを判定する。最も低い減速性能で基準減速度を発生させることが可能であると判定された場合（ステップＳ５０３／ＹＥＳ）、ステップＳ５０５に進む。一方、最も低い減速性能で基準減速度を発生させることが可能でないと判定された場合（ステップＳ５０３／ＮＯ）、ステップＳ５０７に進む。
【００６９】
基準減速度は、自動回避制御において一般車両５に発生する減速度として好ましい減速度であり、例えば、自動回避制御によって一般車両５を他の一般車両５との接触を回避しつつ極力速やかに路肩に寄せる観点から適宜設定される。
【００７０】
ステップＳ５０３でＹＥＳと判定された場合、ステップＳ５０５において、目標減速度決定部１３１は、基準減速度を目標減速度として決定する。一方、ステップＳ５０３でＮＯと判定された場合、ステップＳ５０７において、目標減速度決定部１３１は、最も低い減速性能を有する一般車両５の最大減速度を目標減速度として決定する。
【００７１】
ステップＳ５０５又はステップＳ５０７の次に、図５に示される制御フローは終了する。
【００７２】
上記のように、図５に示される制御フローでは、制御部１３０は、複数の一般車両５の減速性能に基づいて目標減速度を決定する。具体的には、制御部１３０は、各一般車両５の減速性能のうち最も低い減速性能に基づいて、目標減速度を決定する。
【００７３】
［２−２．自動回避指令の出力処理］
次に、図６を参照して、サーバ１００が行う自動回避指令の出力処理について説明する。
【００７４】
図６は、サーバ１００が行う自動回避指令の出力処理の流れの一例を示すフローチャートである。図６に示される制御フローは、具体的には、主に制御部１３０の自動回避制御部１３２により行われ、例えば、予め設定された時間間隔で繰り返し行われる。
【００７５】
図６に示される制御フローが開始されると、まず、ステップＳ６０１において、自動回避制御部１３２は、緊急車両７の走行経路において緊急車両７より前方を走行しており緊急車両７との間の距離が第１基準距離Ｌ１を下回った一般車両５があるか否かを判定する。緊急車両７より前方を走行しており緊急車両７との間の距離が第１基準距離Ｌ１を下回った一般車両５があると判定された場合（ステップＳ６０１／ＹＥＳ）、ステップＳ６０３に進む。一方、緊急車両７より前方を走行しており緊急車両７との間の距離が第１基準距離Ｌ１を下回った一般車両５がないと判定された場合（ステップＳ６０１／ＮＯ）、ステップＳ６０１の処理が繰り返される。
【００７６】
第１基準距離Ｌ１は、例えば、自動回避制御を開始してから終了するまで（つまり、一般車両５を路肩に寄せ終わるまで）に掛かる時間内に緊急車両７が進む距離として想定される距離よりも長い距離に設定される。それにより、緊急車両７の通行が自動回避制御を実行中の一般車両５に妨げられることを適切に抑制することができる。なお、第１基準距離Ｌ１は、緊急車両７の走行路の種類（例えば、一般道路や高速道路等）に応じて異なっていてもよい。
【００７７】
ステップＳ６０３において、自動回避制御部１３２は、緊急車両７との間の距離が第１基準距離Ｌ１を下回った一般車両５に自動回避制御を実行させるための自動回避指令を通信部１１０に出力する。
【００７８】
次に、ステップＳ６０５において、通信部１１０は、自動回避指令及び目標減速度を示す情報を上記一般車両５に送信する。それにより、上記一般車両５は、自動回避制御を実行し、自動回避制御において、自車両の減速度を目標減速度に近づけるように制御する。
【００７９】
次に、図６に示される制御フローは終了する。
【００８０】
上記のように、制御部１３０は、緊急車両７より前方を走行している一般車両５と緊急車両７との間の距離が第１基準距離を下回った場合、当該一般車両５に自動回避制御を実行させる。それにより、緊急車両７が前方に進むにつれて、緊急車両７の走行経路上の複数の一般車両５に順次自動回避制御を実行させることができる。
【００８１】
［２−３．目標加速度の決定処理］
次に、図７を参照して、サーバ１００が行う目標加速度の決定処理について説明する。
【００８２】
図７は、サーバ１００が行う目標加速度の決定処理の流れの一例を示すフローチャートである。図７に示される制御フローは、具体的には、制御部１３０の目標加速度決定部１３３により行われ、例えば、予め設定された時間間隔で繰り返し行われる。
【００８３】
図７に示される制御フローが開始されると、まず、ステップＳ７０１において、目標加速度決定部１３３は、緊急車両７の走行経路における第２基準区間内を走行する複数の一般車両５の加速性能を特定する。
【００８４】
第２基準区間は、具体的には、緊急車両７の走行経路における緊急車両７より後方の区間である。第２基準区間は、緊急車両７の走行経路における緊急車両７の位置に応じた区間であり、緊急車両７の走行経路上を緊急車両７の移動に伴って移動する。第２基準区間としては、例えば、緊急車両７の現在位置より後方の当該現在位置から所定距離（例えば、第２基準距離Ｌ２等）以内の区間が適用され得る。
【００８５】
目標加速度決定部１３３は、例えば、加速性能に関連する各一般車両５の仕様を示す情報に基づいて、各一般車両５の加速性能を特定する。例えば、目標加速度決定部１３３は、各一般車両５に搭載されている駆動源の仕様、ギヤ比及びタイヤの径を示す情報に基づいて、各一般車両５の加速性能を特定する。
【００８６】
なお、目標加速度決定部１３３は、上述した減速性能についての特定と同様に、加速性能に関連する各一般車両５の仕様を示す情報以外の情報を利用することによって、各一般車両５の加速性能を特定してもよい。例えば、目標加速度決定部１３３は、各一般車両５の車種又はＩＤを示す情報に基づいて、各一般車両５の加速性能を特定してもよい。また、例えば、目標加速度決定部１３３は、各一般車両５から送信される加速性能を直接的に示す情報に基づいて、各一般車両５の加速性能を特定してもよい。
【００８７】
ここで、目標加速度決定部１３３は、加速性能をより適切に特定する観点では、各一般車両５の車重に基づいて、各一般車両５の加速性能を特定することが好ましい。また、目標加速度決定部１３３は、加速性能をより適切に特定する観点では、各一般車両５の位置における路面情報に基づいて、各一般車両５の加速性能を特定することが好ましい。
【００８８】
次に、ステップＳ７０３において、目標加速度決定部１３３は、各一般車両５の加速性能のうち最も低い加速性能で基準加速度を発生させることが可能であるか否かを判定する。最も低い加速性能で基準加速度を発生させることが可能であると判定された場合（ステップＳ７０３／ＹＥＳ）、ステップＳ７０５に進む。一方、最も低い加速性能で基準加速度を発生させることが可能でないと判定された場合（ステップＳ７０３／ＮＯ）、ステップＳ７０７に進む。
【００８９】
基準加速度は、自動復帰制御において一般車両５に発生する加速度として好ましい加速度であり、例えば、自動復帰制御によって一般車両５を他の一般車両５との接触を回避しつつ極力速やかに路肩の中央側に戻す観点から適宜設定される。
【００９０】
ステップＳ７０３でＹＥＳと判定された場合、ステップＳ７０５において、目標加速度決定部１３３は、基準加速度を目標加速度として決定する。一方、ステップＳ７０３でＮＯと判定された場合、ステップＳ７０７において、目標加速度決定部１３３は、最も低い加速性能を有する一般車両５の最大加速度を目標加速度として決定する。
【００９１】
ステップＳ７０５又はステップＳ７０７の次に、図７に示される制御フローは終了する。
【００９２】
上記のように、図７に示される制御フローでは、制御部１３０は、複数の一般車両５の加速性能に基づいて目標加速度を決定する。具体的には、制御部１３０は、各一般車両５の加速性能のうち最も低い加速性能に基づいて、目標加速度を決定する。
【００９３】
［２−４．自動復帰指令の出力処理］
次に、図８を参照して、サーバ１００が行う自動復帰指令の出力処理について説明する。
【００９４】
図８は、サーバ１００が行う自動復帰指令の出力処理の流れの一例を示すフローチャートである。図８に示される制御フローは、具体的には、主に制御部１３０の自動復帰制御部１３４により行われ、例えば、予め設定された時間間隔で繰り返し行われる。
【００９５】
図８に示される制御フローが開始されると、まず、ステップＳ８０１において、自動復帰制御部１３４は、緊急車両７に追い越された後、緊急車両７との間の距離が第２基準距離Ｌ２を上回った一般車両５があるか否かを判定する。緊急車両７に追い越された後、緊急車両７との間の距離が第２基準距離Ｌ２を上回った一般車両５があると判定された場合（ステップＳ８０１／ＹＥＳ）、ステップＳ８０３に進む。一方、緊急車両７に追い越された後、緊急車両７との間の距離が第２基準距離Ｌ２を上回った一般車両５がないと判定された場合（ステップＳ８０１／ＮＯ）、ステップＳ８０１の処理が繰り返される。
【００９６】
第２基準距離Ｌ２は、例えば、緊急車両７に追い越された一般車両５に自動復帰制御を実行させることにより緊急車両７の通行が妨げられない程度に長い距離に設定される。なお、第２基準距離Ｌ２は、緊急車両７の走行路の種類（例えば、一般道路や高速道路等）に応じて異なっていてもよい。
【００９７】
ステップＳ８０３において、自動復帰制御部１３４は、緊急車両７との間の距離が第２基準距離Ｌ２を上回った一般車両５に自動復帰制御を実行させるための自動復帰指令を通信部１１０に出力する。
【００９８】
次に、ステップＳ８０５において、通信部１１０は、自動復帰指令及び目標加速度を示す情報を上記一般車両５に送信する。それにより、上記一般車両５は、自動復帰制御を実行し、自動復帰制御において、自車両の加速度を目標加速度に近づけるように制御する。
【００９９】
次に、図８に示される制御フローは終了する。
【０１００】
上記のように、制御部１３０は、緊急車両７に追い越された一般車両５と当該緊急車両７との間の距離が第２基準距離Ｌ２を上回った場合、当該一般車両５に自動復帰制御を実行させる。それにより、緊急車両７が前方に進むにつれて、緊急車両７の走行経路上で自動回避制御により停車している複数の一般車両５に順次自動復帰制御を実行させることができる。
【０１０１】
＜３．サーバの効果＞
続いて、本発明の実施形態に係るサーバ１００の効果について説明する。
【０１０２】
本実施形態に係るサーバ１００では、制御部１３０は、複数の一般車両５の減速性能に基づいて自動回避制御における目標減速度を決定する。それにより、自動回避制御を実行する複数の一般車両５のいずれにおいても発生させることが可能な減速度を目標減速度として適切に決定することができる。ゆえに、緊急車両７の走行を優先するために、連なって走行している複数の一般車両５に自動回避制御を実行させた際に、各一般車両５の間で減速度が相違することを抑制することができる。それにより、例えば、一般車両５間の一部の車間距離が過度に縮まることを抑制することができるので、渋滞が発生することを抑制することができる。このように、本実施形態に係るサーバ１００によれば、緊急車両７の通行を優先するための一般車両５の自動運転制御を適切に実行することができる。
【０１０３】
また、本実施形態に係るサーバ１００では、制御部１３０は、緊急車両７の走行経路における緊急車両７より前方の第１基準区間内を走行する複数の一般車両５の減速性能に基づいて目標減速度を決定することが好ましい。ここで、自動回避制御は、緊急車両７より前方を走行している一般車両５によって実行される。ゆえに、第１基準区間として緊急車両７の走行経路における緊急車両７より前方の区間を適用することによって、現時点から比較的近い時期に自動回避制御が実行される区間内の一般車両５の減速性能に基づいて目標減速度を決定することができる。よって、自動回避制御における目標減速度を、緊急車両７の位置の変化に応じて適切に決定することができる。
【０１０４】
また、本実施形態に係るサーバ１００では、制御部１３０は、複数の一般車両５の各々の減速性能のうち最も低い減速性能に基づいて、目標減速度を決定することが好ましい。それにより、目標減速度が過度に小さくなることを抑制しつつ、自動回避制御を実行する複数の一般車両５のいずれにおいても発生させることが可能な減速度を目標減速度として決定することができる。ゆえに、目標減速度をより適切に決定することができる。
【０１０５】
また、本実施形態に係るサーバ１００では、制御部１３０は、複数の一般車両５の各々の車重に基づいて、当該複数の一般車両５の各々の減速性能を特定することが好ましい。それにより、各一般車両５の減速性能を、各一般車両５の車重の変化に応じてより適切に特定することができる。ゆえに、目標減速度をさらに適切に決定することができる。
【０１０６】
また、本実施形態に係るサーバ１００では、制御部１３０は、複数の一般車両５の各々の位置における路面情報に基づいて、当該複数の一般車両５の各々の減速性能を特定することが好ましい。それにより、各一般車両５の減速性能を、各一般車両５が走行している路面の状態の変化に応じてより適切に特定することができる。ゆえに、目標減速度をさらに適切に決定することができる。
【０１０７】
また、本実施形態に係るサーバ１００では、制御部１３０は、緊急車両７より前方を走行している一般車両５と緊急車両７との間の距離が第１基準距離Ｌ１を下回った場合、当該一般車両５に自動回避制御を実行させることが好ましい。それにより、第１基準距離Ｌ１を適切に設定することによって、緊急車両７の通行が自動回避制御を実行中の一般車両５に妨げられることを適切に抑制することができる。
【０１０８】
また、本実施形態に係るサーバ１００では、制御部１３０は、複数の一般車両５の加速性能に基づいて、自動復帰制御における目標加速度を決定することが好ましい。それにより、自動復帰制御を実行する複数の一般車両５のいずれにおいても発生させることが可能な加速度を目標加速度として適切に決定することができる。ゆえに、緊急車両７に追い越された後に、連なって路肩に停車している複数の一般車両５に自動復帰制御を実行させた際に、各一般車両５の間で加速度が相違することを抑制することができる。それにより、例えば、一般車両５間の一部の車間距離が過度に縮まることを抑制することができるので、渋滞が発生することを抑制することができる。このように、複数の一般車両５の加速性能に基づいて自動復帰制御における目標加速度を決定することによって、緊急車両７の通行を優先するための一般車両５の自動運転制御をさらに適切に実行することができる。
【０１０９】
また、本実施形態に係るサーバ１００では、制御部１３０は、緊急車両７の走行経路における緊急車両７より後方の第２基準区間内を走行する複数の一般車両５の加速性能に基づいて目標加速度を決定することが好ましい。ここで、自動復帰制御は、緊急車両７に追い越された一般車両５によって実行される。ゆえに、第２基準区間として緊急車両７の走行経路における緊急車両７より後方の区間を適用することによって、現時点から比較的近い時期に自動復帰制御が実行される区間内の一般車両５の加速性能に基づいて目標加速度を決定することができる。よって、自動復帰制御における目標加速度を、緊急車両７の位置の変化に応じて適切に決定することができる。
【０１１０】
また、本実施形態に係るサーバ１００では、制御部１３０は、複数の一般車両５の各々の加速性能のうち最も低い加速性能に基づいて、目標加速度を決定することが好ましい。それにより、目標加速度が過度に小さくなることを抑制しつつ、自動復帰制御を実行する複数の一般車両５のいずれにおいても発生させることが可能な加速度を目標加速度として決定することができる。ゆえに、目標加速度をより適切に決定することができる。
【０１１１】
また、本実施形態に係るサーバ１００では、制御部１３０は、複数の一般車両５の各々の車重に基づいて、当該複数の一般車両５の各々の加速性能を特定することが好ましい。それにより、各一般車両５の加速性能を、各一般車両５の車重の変化に応じてより適切に特定することができる。ゆえに、目標加速度をさらに適切に決定することができる。
【０１１２】
また、本実施形態に係るサーバ１００では、制御部１３０は、複数の一般車両５の各々の位置における路面情報に基づいて、当該複数の一般車両５の各々の加速性能を特定することが好ましい。それにより、各一般車両５の加速性能を、各一般車両５が走行している路面の状態の変化に応じてより適切に特定することができる。ゆえに、目標加速度をさらに適切に決定することができる。
【０１１３】
また、本実施形態に係るサーバ１００では、制御部１３０は、緊急車両７に追い越された一般車両５と緊急車両７との間の距離が第２基準距離Ｌ２を上回った場合、当該一般車両５に自動復帰制御を実行させることが好ましい。それにより、第２基準距離Ｌ２を適切に設定することによって、緊急車両７に追い越された一般車両５に自動復帰制御を実行させることにより緊急車両７の通行が妨げられることを適切に抑制することができる。
【０１１４】
＜４．むすび＞
以上説明したように、本実施形態に係るサーバ１００では、制御部１３０は、複数の一般車両５の減速性能に基づいて自動回避制御における目標減速度を決定する。それにより、自動回避制御を実行する複数の一般車両５のいずれにおいても発生させることが可能な減速度を目標減速度として適切に決定することができるので、各一般車両５の間で自動回避制御により生じる減速度が相違することを抑制することができる。それにより、例えば、一般車両５間の一部の車間距離が過度に縮まることを抑制することができるので、渋滞が発生することを抑制することができる。このように、本実施形態に係るサーバ１００によれば、緊急車両７の通行を優先するための一般車両５の自動運転制御を適切に実行することができる。
【０１１５】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【０１１６】
例えば、本明細書においてフローチャートを用いて説明した処理は、必ずしもフローチャートに示された順序で実行されなくてもよい。いくつかの処理ステップは、並列的に実行されてもよい。また、追加的な処理ステップが採用されてもよく、一部の処理ステップが省略されてもよい。
【０１１７】
また、例えば、上記で説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体に予め格納される。
【０１１８】
また、例えば、上記で説明した制御システム１の各装置は、上記で説明した以外の追加的な機能を有していてもよい。例えば、サーバ１００は、自動回避制御を一般車両５に実行させると判断した際に、当該一般車両５が自動運転制御を実行できない車両であった場合、緊急車両７の通行を優先して当該一般車両５を路肩に寄せることを促すための情報を当該一般車両５に送信してもよい。また、例えば、車両制御装置５２は、自動回避制御又は自動復帰制御を実行している際に、所定の条件が満たされた場合（例えば、自車両と前方の車両との間の車間距離が基準値を下回った場合）、自動回避制御又は自動復帰制御を停止して通常の自動運転制御を実行してもよい。
【０１１９】
また、例えば、上記でサーバ１００の機能として説明した機能の一部又は全部は、一般車両５に搭載される制御装置又は緊急車両７に搭載される制御装置によって実現されてもよい。例えば、サーバ１００の機能の全部が緊急車両７に搭載される制御装置により実現されてもよい。その場合、当該制御装置が本発明に係る制御装置の一例に相当する。また、例えば、サーバ１００の機能のうち、自動回避制御又は自動復帰制御を一般車両５に実行させるか否かの判断が一般車両５に搭載される制御装置により行われてもよい。
【符号の説明】
【０１２０】
１  制御システム
５，５ａ，５ｂ，５ｃ，５ｄ  一般車両
７  緊急車両
９  通信ネットワーク
５１，５１ａ，５１ｂ，５１ｃ，５１ｄ  通信装置
５２，５２ａ，５２ｂ，５２ｃ，５２ｄ  車両制御装置
７１  通信装置
１００  サーバ
１１０  通信部
１２０  記憶部
１３０  制御部
１３１  目標減速度決定部
１３２  自動回避制御部
１３３  目標加速度決定部
１３４  自動復帰制御部
【図１】
2020009093.tif 000003
【図２】
2020009093.tif 000004
【図３】
2020009093.tif 000005
【図４】
2020009093.tif 000006
【図５】
2020009093.tif 000007
【図６】
2020009093.tif 000008
【図７】
2020009093.tif 000009
【図８】
2020009093.tif 000010